(57)【要約】【課題】この発明は、用紙の半分に余白部を形成してコメントが書き込めるような複写モードを備えた画像形成装置を提供することを目的とする。【解決手段】複写モードとして、１枚の用紙の半分の領域に設定枚数分の原稿画像を印刷することによって、用紙の半分の領域に書き込み余白部を形成するような書き込み余白モードが用意されている画像形成装置あって、複写モードとして書き込み余白モードをユーザに設定させるための設定手段、および複写モードとして書き込み余白モードが設定された場合に、１枚の用紙の半分の領域に設定枚数分の原稿画像を印刷させる画像形成手段を備えている。【選択図】　図１
2004096325.tif 000002
【特許請求の範囲】
【請求項１】
複写モードとして、１枚の用紙の半分の領域に設定枚数分の原稿画像を印刷することによって、用紙の半分の領域に書き込み余白部を形成するような書き込み余白モードが用意されている画像形成装置あって、
複写モードとして書き込み余白モードをユーザに設定させるための設定手段、および
複写モードとして書き込み余白モードが設定された場合に、１枚の用紙の半分の領域に設定枚数分の原稿画像を印刷させる画像形成手段、
を備えていることを特徴とする画像形成装置。
【請求項２】
設定手段は、書き込み余白モードの設定時において、用紙にページ区切り線を入れるか否かをユーザに設定させるための手段を備えており、
画像形成手段は、複写モードとして書き込み余白モードが設定されかつページ区切り線を入れる設定が行なわれている場合には、用紙に印刷される原稿画像間の境界および用紙に印刷される原稿画像と書き込み余白部との境界に、ページ区切り線を印刷させる手段を備えていることを特徴とする請求項１に記載の画像形成装置。
【請求項３】
設定手段は、書き込み余白モードの設定時において、書き込み余白部に罫線を入れるか否かをユーザに設定させるための手段を備えており、
画像形成手段は、複写モードとして書き込み余白モードが設定されかつ書き込み余白部に罫線を入れる設定が行なわれている場合には、用紙に形成された書き込み余白部に罫線を印刷させる手段を備えていることを特徴とする請求項１に記載の画像形成装置。
【請求項４】
複写モードとして、予め設定された複数枚の原稿を１枚の用紙に集約して印刷しかつ用紙の原稿画像の境界に区切り線を入れるような集約モードであって、１枚の用紙の印刷領域が設定原稿枚数に応じた数の小領域に分割され、各小領域毎に原稿画像が印刷される集約モードが用意されている画像形成装置において、
上記集約モードが設定された場合において、１枚の用紙に対して印刷されるべき原稿枚数が予め設定された枚数より少ないときには、用紙の印刷領域における隣合う２つの小領域の組み合わせ毎に、隣り合う２つの小領域が共に白紙となるか否かを判別する手段、および
隣り合う２つの小領域が共に白紙となると判別された場合には、当該隣合う２つの小領域の境界に区切り線を入れないようにする手段、
を備えていることを特徴とする画像形成装置。
【発明の詳細な説明】
【０００１】
【産業上の利用分野】
この発明は、画像形成装置に関する。
【０００２】
【従来の技術】
複写機として、２枚以上の原稿画像を１枚の用紙に印字する機能を備えているものがある。このような機能は、一般に集約機能と呼ばれている。しかしながら、１枚の原稿画像を用紙の半分に印刷したり、複数枚の原稿を用紙の半分に印刷したりして、用紙の半分に余白部を形成して、コメントを書き込めるようにするといった複写モードを備えているものはない。
【０００３】
【発明が解決しようとする課題】
この発明は、用紙の半分に余白部を形成してコメントが書き込めるような複写モードを備えた画像形成装置を提供することを目的とする。
【０００４】
また、この発明は、用紙の半分に余白部を形成できるとともにその余白部に罫線が印字されるような複写モードを備えた画像形成装置を提供することを目的とする。
【０００５】
また、この発明は、予め設定された複数枚の原稿を１枚の用紙に集約して印刷しかつ用紙の原稿画像の境界に区切り線を入れるような集約モードにおいて、１枚の用紙に対して印刷されるべき原稿が予め設定された枚数より少ないときに、それに起因して用紙に発生する白紙部内に区切り線が入れられないようにすることが可能となる画像形成装置を提供することを目的とする。
【０００６】
【課題を解決するための手段】
請求項１に記載の発明は、複写モードとして、１枚の用紙の半分の領域に設定枚数分の原稿画像を印刷することによって、用紙の半分の領域に書き込み余白部を形成するような書き込み余白モードが用意されている画像形成装置あって、複写モードとして書き込み余白モードをユーザに設定させるための設定手段、および複写モードとして書き込み余白モードが設定された場合に、１枚の用紙の半分の領域に設定枚数分の原稿画像を印刷させる画像形成手段を備えていることを特徴とする。
【０００７】
請求項２に記載の発明は、請求項１記載の画像形成装置において、設定手段は、書き込み余白モードの設定時において、用紙にページ区切り線を入れるか否かをユーザに設定させるための手段を備えており、画像形成手段は、複写モードとして書き込み余白モードが設定されかつページ区切り線を入れる設定が行なわれている場合には、用紙に印刷される原稿画像間の境界および用紙に印刷される原稿画像と書き込み余白部との境界に、ページ区切り線を印刷させる手段を備えていることを特徴とする。
【０００８】
請求項３に記載の発明は、請求項１記載の画像形成装置において、設定手段は、書き込み余白モードの設定時において、書き込み余白部に罫線を入れるか否かをユーザに設定させるための手段を備えており、画像形成手段は、複写モードとして書き込み余白モードが設定されかつ書き込み余白部に罫線を入れる設定が行なわれている場合には、用紙に形成された書き込み余白部に罫線を印刷させる手段を備えていることを特徴とする。
【０００９】
請求項４に記載の発明は、複写モードとして、予め設定された複数枚の原稿を１枚の用紙に集約して印刷しかつ用紙の原稿画像の境界に区切り線を入れるような集約モードであって、１枚の用紙の印刷領域が設定原稿枚数に応じた数の小領域に分割され、各小領域毎に原稿画像が印刷される集約モードが用意されている画像形成装置において、上記集約モードが設定された場合において、１枚の用紙に対して印刷されるべき原稿枚数が予め設定された枚数より少ないときには、用紙の印刷領域における隣合う２つの小領域の組み合わせ毎に、隣り合う２つの小領域が共に白紙となるか否かを判別する手段、および隣り合う２つの小領域が共に白紙となると判別された場合には、当該隣合う２つの小領域の境界に区切り線を入れないようにする手段を備えていることを特徴とする。
【００１０】
【発明の実施の形態】
以下、図面を参照して、この発明の実施の形態について説明する。
【００１１】
〔１〕デジタル複写機の構成の説明
図１は、デジタル複写機の構成を示している。
【００１２】
デジタル複写機は、スキャナ部１０と、制御部２０と、ハードディスク（ＨＤＤ）３０と、画像形成部４０と、ユーザ操作部５０とを備えている。スキャナ部１０は、原稿送り装置（ＤＦ）１１、スキャナ１２、画像読み取りＣＣＤ１３等を備えている。制御部２０は、ＣＰＵ、ＲＯＭ、ＲＡＭ等を備えている。
【００１３】
画像形成部４０は、レーザスキャンユニット（ＬＳＵ）４１、感光体ドラム等を含む静電複写機構等を備えている。ユーザ操作部５０は、テンキーおよび各種キーを含むキー入力部５１、液晶表示部５２、ＬＥＤ表示部５３等を備えている。
【００１４】
原稿送り装置（ＤＦ）１１によって図示しないコンタクトガラス上に送られた原稿はスキャナ１２によって光学的に走査され、画像読み取りＣＣＤ１３によって原稿画像が読み取られる。画像読み取りＣＣＤ１３によって読み取られた原稿画像は、制御部２０を介して、ＨＤＤ３０に格納される。ＨＤＤ３０に格納された画像データは制御部２０を介してＬＳＵ４１に送られる。ＬＳＵ４１は、送られてきた画像データにしたがってレーザ光を発生し、それを変調・偏向して感光体上に静電潜像パターンを形成する。
【００１５】
〔２〕書き込み余白モードの説明
このデジタル複写機には、複写モードとして、コピーした用紙にコメントを書き込めるスペース（書き込み余白部）を作成できる書き込み余白モードが用意されている。
【００１６】
書き込み余白モードは、大きく分けて、１枚の原稿画像を１枚の用紙に複写する場合に書き込み余白部を作成する第１書き込み余白モードと、２枚の原稿画像を１枚の用紙に複写する場合に書き込み余白部を作成する第２書き込み余白モードとがある。
【００１７】
第１書き込み余白モードでは、図２（ａ）〜（ｄ）に示すように、４種類のレイアウトがある。
【００１８】
図２（ａ）は、縦長の原稿画像を横長の記録用紙の左半分に印刷するようなレイアウト（縦長画像用第１レイアウトという）である。図２（ｂ）は、横長の原稿画像を縦長の記録用紙の上半分に印刷するようなレイアウト（横長画像用第１レイアウトという）である。図２（ｃ）は、縦長の原稿画像を横長の記録用紙の右半分に印刷するようなレイアウト（縦長画像用第２レイアウトという）である。図２（ｄ）は、横長の原稿画像を縦長の記録用紙の下半分に印刷するようなレイアウト（横長画像用第２レイアウトという）である。
【００１９】
また、第１書き込み余白モードにおいては、図２（ａ）〜（ｄ）に破線で示す位置に、ページ区切り線を入れるか否かを選択することが可能である。また、ページ区切り線を入れる場合には、線種（実線または点線）を選択できるようになっている。第１書き込み余白モードにおいては、ページ区切り線は、原稿画像と書き込み余白部との境界位置に入れられる。
【００２０】
さらに、書き込み余白部に罫線を入れるか否かを選択することが可能である。罫線を入れる場合には、横罫線と縦罫線とを選択できるようになっている。図３（ａ）〜（ｄ）は横罫線が選択された場合に書き込み余白部に印刷される罫線を示し、図４（ａ）〜（ｄ）は縦罫線が選択された場合に書き込み余白部に印刷される罫線を示している。
【００２１】
第２書き込み余白モードでは、図５（ａ）〜（ｈ）に示すように、８種類のレイアウトがある。２枚の原稿画像のうち、最初に読み取られる原稿画像を第１の原稿画像とし、その次に読み取られる原稿画像を第２の原稿画像とする。また、記録用紙を縦横共に１／２ずつ分割することによって得られた４つの部分を４分割部分ということにする。
【００２２】
図５（ａ）は、縦長の第１の原稿画像を縦長の記録用紙の４分割部分のうちの左上に印刷し、縦長の第２の原稿画像を当該記録用紙の４分割部分のうちの右上に印刷するようなレイアウト（縦長画像用第１レイアウトという）である。図５（ｂ）は、横長の第１の原稿画像を横長の記録用紙の４分割部分のうちの左上に印刷し、横長の第２の原稿画像を当該記録用紙の４分割部分のうちの右上に印刷するようなレイアウト（横長画像用第１レイアウトという）である。
【００２３】
図５（ｃ）は、縦長の第１の原稿画像を縦長の記録用紙の４分割部分のうちの右上に印刷し、縦長の第２の原稿画像を当該記録用紙の４分割部分のうちの左上に印刷するようなレイアウト（縦長画像用第２レイアウトという）である。図５（ｄ）は、横長の第１の原稿画像を横長の記録用紙の４分割部分のうちの右上に印刷し、横長の第２の原稿画像を当該記録用紙の４分割部分のうちの左上に印刷するようなレイアウト（横長画像用第２レイアウトという）である。
【００２４】
図５（ｅ）は、縦長の第１の原稿画像を縦長の記録用紙の４分割部分のうちの左上に印刷し、縦長の第２の原稿画像を当該記録用紙の４分割部分のうちの左下に印刷するようなレイアウト（縦長画像用第３レイアウトという）である。図５（ｆ）は、横長の第１の原稿画像を横長の記録用紙の４分割部分のうちの左上に印刷し、横長の第２の原稿画像を当該記録用紙の４分割部分のうちの左下に印刷するようなレイアウト（横長画像用第３レイアウトという）である。
【００２５】
図５（ｇ）は、縦長の第１の原稿画像を縦長の記録用紙の４分割部分のうちの右上に印刷し、縦長の第２の原稿画像を当該記録用紙の４分割部分のうちの右下に印刷するようなレイアウト（縦長画像用第４レイアウトという）である。図５（ｈ）は、横長の第１の原稿画像を横長の記録用紙の４分割部分のうちの右上に印刷し、横長の第２の原稿画像を当該記録用紙の４分割部分のうちの右下に印刷するようなレイアウト（横長画像用第４レイアウトという）である。
【００２６】
また、第２書き込み余白モードにおいては、図６（ａ）〜（ｈ）に破線で示す位置に、ページ区切り線を入れるか否かを選択することが可能である。ページ区切り線を入れる場合には、線種（実線または点線）を選択できるようになっている。第２書き込み余白モードにおいては、ページ区切り線は、２枚の原稿画像間の境界および原稿画像と書き込み余白部との境界位置に入れられる。したがって、ページ区切り線を入れるモードが選択された場合であっても、図６（ａ）〜（ｈ）に破線で示すように、書き込み余白部内には、ページ区切り線は入れられない。これは、書き込み余白部内にページ区切り線を入れると、コメントが書き込みにくくなるからである。
【００２７】
さらに、書き込み余白部に罫線を入れるか否かを選択することが可能である。罫線を入れる場合には、横罫線と縦罫線とを選択できるようになっている。図６（ａ）〜（ｈ）は横罫線が選択された場合に書き込み余白部に印刷される罫線を示し、図７（ａ）〜（ｈ）は縦罫線が選択された場合に書き込み余白部に印刷される罫線を示している。
【００２８】
〔３〕書き込み余白モードの選択操作についての説明
図８は、ユーザ操作部５０を示している。
【００２９】
ユーザ操作部５０には、液晶表示部５２、テンキー１０１、スタートボタン１０２、クリアストップボタン１０３、リセットボタン１０４等が設けられている。液晶表示部５２は、タッチパネル式の液晶表示装置によって構成されている。液晶表示部５２には、基本画面として、例えば、図８に示すような画面が表示される。
【００３０】
基本画面には、用紙サイズを手動で選択するための用紙サイズ選択キー２０１、２０２、自動で用紙を選択させるための自動用紙キー２０３、手差しの用紙を使用するときに操作される手差しキー２０４、濃度を調整するための濃度調整キー２０５、２０６、自動で倍率を選択するための自動倍率キー２０７、倍率を等倍にするための等倍キー２０８、倍率を変更するための縮小／拡大キー２０９、画面を基本画面に戻すための基本キー２１０、ユーザ機能画面を表示させるためのユーザ機能キー２１１、機能リスト画面を表示させるための機能リストキー２１２、プログラムキー２１３等が設けられている。この基本画面上で、ユーザは、用紙サイズ、濃度、倍率等の設定を行なう。
【００３１】
書き込み余白モードを選択する場合には、ユーザは、基本画面上で機能リストキー２１２を押すことにより、液晶表示部５２に機能リスト画面を表示させる。図９は、機能リスト画面の一例を示している。機能リスト画面は、複数頁分の画面を備えており、機能リスト画面上のスクロールキー２２１、２２２を操作することにより、機能リスト画面の表示ページを切り替えることができるようになっている。
【００３２】
ユーザは、機能リスト画面上のスクロールキー２２１、２２２を操作することにより、図９に示すように、書き込み余白キー２２３を含む画面を表示させる。そして、書き込み余白キー２２３を押す。
【００３３】
書き込み余白キー２２３を押すと、図１０に示すような第１のレイアウト選択画面が液晶表示部５２に表示される。第１のレイアウト選択画面は、第１書き込み余白モードまたは第２書き込み余白モードをユーザに選択させるための画面である。
【００３４】
第１のレイアウト選択画面には、設定なしキー２３１、第１書き込み余白モードを選択するためのレイアウトＡキー２３２、第２書き込み余白モードを選択するためのレイアウトＢキー２３３等が表示される。
【００３５】
ユーザは第１書き込み余白モードを選択したい場合には、レイアウトＡキー２３２を押し、第２書き込み余白モードを選択したい場合には、レイアウトＢキー２３３を押す。
【００３６】
レイアウトＡキー２３２を押すと、図１１に示すような第２のレイアウト選択画面が液晶表示部５２に表示される。
【００３７】
第２のレイアウト選択画面には、設定なしキー２３１、レイアウトＡキー２３２およびレイアウトＢキー２３３の他に、２つのレイアウト選択キー２３４、２３５、罫線に関する３つのキー２３６、２３７、２３８、ページ区切り線に関する３つのキー２３９、２４０、２４１、原稿上辺の位置の確認のための２つのキー２４２、２４３等が設けられている。
【００３８】
一方のレイアウト選択キー２３４は、図２（ａ）の縦長画像用第１レイアウトまたは図２（ｂ）の横長画像用第１レイアウトを選択するためのキーであり、このキーが押された場合のレイアウトモードを第１レイアウトモードということにする。他方のレイアウト選択キー２３５は、図２（ｃ）の縦長画像用第２レイアウトまたは図２（ｄ）の横長画像用第２レイアウトを選択するためのキーであり、このキーが押された場合のレイアウトモードを第２レイアウトモードということにする。
【００３９】
罫線に関する１番目のキー２３６は、罫線を入れない場合に選択されるキーであり、デフォルトではこのキーが選択された状態となっている。罫線に関する２番目のキー２３７は、図３に示すように、書き込み余白部に横罫線を入れる場合に選択されるキーである。罫線に関する３番目のキー２３８は、図４に示すように、書き込み余白部に縦罫線を入れる場合に選択されるキーである。
【００４０】
ページ区切り線に関する１番目のキー２３９は、ページ区切り線を入れない場合に選択されるキーであり、デフォルトではこのキーが選択された状態となっている。ページ区切り線に関する２番目のキー２４０は、ページ区切り線を実線で入れる場合に選択されるキーである。ページ区切り線に関する３番目のキー２４１は、ページ区切り線を破線で入れる場合に選択されるキーである。
【００４１】
原稿上辺の位置の確認のための一方のキー２４２は、原稿送り装置１１に原稿がセットされた状態において、原稿の上辺が複写機の正面から見て奥にある場合に、選択されるキーである。原稿セット向きの確認のための他方のキー２４３は、原稿送り装置１１に原稿がセットされた状態において、原稿の上辺が複写機の正面から見て左にある場合に、選択されるキーである。
【００４２】
ユーザは、図１１の第２のレイアウト選択画面上で、レイアウトモードを選択するとともに、罫線に関する設定およびページ区切り線に関する設定を行なう。また、原稿上辺の位置の確認を行なう。そして、スタートボタン１０２を押すと、書き込み余白モードによる複写処理が開始される。
【００４３】
図１０に示す第１のレイアウト選択画面上で、レイアウトＢキー２３３が押された場合には、図１２に示すような第３のレイアウト選択画面が液晶表示部５２に表示される。
【００４４】
第３のレイアウト選択画面には、設定なしキー２３１、レイアウトＡキー２３２およびレイアウトＢキー２３３の他に、４つのレイアウト選択キー２５１、２５２、２５３、２５４、罫線に関する３つのキー２３６、２３７、２３８、ページ区切り線に関する３つのキー２３９、２４０、２４１、原稿上辺の位置の確認のための２つのキー２４２、２４３等が設けられている。
【００４５】
罫線に関する３つのキー２３６、２３７、２３８、ページ区切り線に関する３つのキー２３９、２４０、２４１および原稿上辺の位置の確認のための２つのキー２４２、２４３は、図１１の第２のレイアウト選択画面で説明したものと同じである。
【００４６】
レイアウト選択キー２５１は、図５（ａ）の縦長画像用第１レイアウトまたは図５（ｂ）の横長画像用第１レイアウトを選択するためのキーであり、このキーが押された場合のレイアウトモードを第１レイアウトモードということにする。レイアウト選択キー２５２は、図５（ｃ）の縦長画像用第２レイアウトまたは図５（ｄ）の横長画像用第２レイアウトを選択するためのキーであり、このキーが押された場合のレイアウトモードを第２レイアウトモードということにする。
【００４７】
レイアウト選択キー２５３は、図５（ｅ）の縦長画像用第３レイアウトまたは図５（ｆ）の横長画像用第３レイアウトを選択するためのキーであり、このキーが押された場合のレイアウトモードを第３レイアウトモードということにする。る。レイアウト選択キー２５４は、図５（ｇ）の縦長画像用第４レイアウトまたは図５（ｈ）の横長画像用第４レイアウトを選択するためのキーであり、このキーが押された場合のレイアウトモードを第４レイアウトモードということにする。
【００４８】
ユーザは、図１２の第３のレイアウト選択画面上で、レイアウトモードを選択するとともに、罫線に関する設定およびページ区切り線に関する設定を行なう。また、原稿上辺の位置の確認を行なう。そして、スタートボタン１０２を押すと、書き込み余白モードによる複写処理が開始される。
【００４９】
〔４〕書き込み余白モードによる複写処理手順の説明
図１３は、書き込み余白モードによる複写処理手順を示している。
【００５０】
書き込み余白モードに関する設定が行なわれた後にスタートボタン１０２が押されると、原稿画像を読み取る（ステップ１）。読み取られた原稿画像はＨＤＤ３０に格納される。
【００５１】
第１書き込み余白モードであるか第２書き込み余白モードであるかを判定する（ステップ２）。この判定は、図１０の第１のレイアウト選択画面上で選択されたキー２３２、２３３に基づいて行なわれる。第１書き込み余白モードである場合には、第１書き込み余白モードでのレイアウト種類の判別処理を行なう（ステップ３）。つまり、図２の（ａ）〜（ｄ）のいずれのレイアウトかを判別するための処理を行なう。そして、ステップ５に移行する。
【００５２】
第２書き込み余白モードである場合には、第２書き込み余白モードでのレイアウト種類の判別処理を行なう（ステップ４）。つまり、図５の（ａ）〜（ｈ）のいずれのレイアウトかを判別するための処理を行なう。そして、ステップ５に移行する。
【００５３】
ステップ５では、ページ区切り線の有無および線種の判定処理を行なう。この判定は、図１１の第２のレイアウト選択画面上または図１２の第３のレイアウト選択画面上で選択されたページ区切り線の有無および線種（キー２３９、２４０、２４１によって選択されたページ区切り線の有無および線種）に基づいて行なわれる。
【００５４】
次に、罫線の有無および罫線の種類の判定処理を行なう（ステップ６）。この判定は、図１１の第２のレイアウト選択画面上または図１２の第３のレイアウト選択画面上で選択された罫線の有無および罫線の種類（キー２３６、２３７、２３８によって選択された罫線の有無および罫線の種類）に基づいて行なわれる。
【００５５】
そして、ステップ３またはステップ４のレイアウトの種類の判定結果、ステップ５のページ区切り線の有無および線種判定結果、ステップ６の罫線の有無および罫線の種類判定結果ならびに予め設定された用紙サイズに基づいて、画像処理および印刷処理を実行する（ステップ７）。
【００５６】
つまり、レイアウトの種類の判定結果と読み取られた原稿画像とに基づいて、レイアウトの種類に応じた位置、大きさ、向きを有する印刷用原稿画像を生成する。また、ページ区切り線の有無および線種判定結果に基づいて、ページ区切り線を入れるか否かを決定し、ページ区切り線を入れる場合には、線種およびレイアウトの種類の判定結果に基づいてページ区切り線の画像を生成する。さらに、罫線の有無および罫線の種類判定結果に基づいて、罫線を入れるか否かを決定し、罫線を入れる場合には、罫線の種類（縦罫線か横罫線）およびレイアウトの種類の判定結果に基づいて、罫線の画像を生成する。そして、印刷用原稿画像、ページ区切り線の画像および罫線の画像を合成することにより、印刷用の画像を生成する。
【００５７】
図１４は、第１書き込み余白モードでのレイアウト種類の判別処理手順を示している。
【００５８】
ユーザによって選択されているレイアウトモードが第１レイアウトモードであるか第２レイアウトモードであるかを判別する（ステップ１１）。この判別は、図１１の第２のレイアウト選択画面上で選択されたレイアウトモード（レイアウト選択キー２３４、２３５によって選択されたレイアウトモード）に基づいて行なわれる。
【００５９】
ステップ１１において、第１レイアウトモードが選択されていると判別された場合の処理について説明する。
【００６０】
原稿の向きを判別する（ステップ１２）。原稿送り装置によって原稿の長辺側から原稿が送られた場合の原稿の向きを”横通し”といい、原稿送り装置によって原稿の短辺側から原稿が送られた場合の原稿の向きを”縦通し”ということにする。原稿の向きの判別は、例えば、所定の複数位置に原稿の有無を検出する複数のセンサを配置しておき、原稿画像読み取り前に一旦原稿に光を照射するようにし、この際の複数のセンサの検出信号に基づいて行なわれており、その判別結果に基づいて、ステップ１２の判別が行なわれる。
【００６１】
原稿の向きが”横通し”である場合には、原稿の上辺の位置が奥であるか左であるかを判別する（ステップ１３）。この判別は、図１１の第２のレイアウト選択画面上で選択された原稿の上辺の位置（キー２４２、２４３によって選択された原稿の上辺の位置）に基づいて行なわれる。原稿の上辺の位置が奥である場合には、レイアウトが図２（ａ）に示す、第１書き込み余白モードにおける縦長画像用第１レイアウトであると判別する（ステップ１４）。原稿の上辺の位置が左である場合には、レイアウトが図２（ｂ）に示す、第１書き込み余白モードにおける横長画像用第１レイアウトであると判別する（ステップ１５）。
【００６２】
上記ステップ１２において、原稿の向きが”縦通し”である場合には、原稿の上辺の位置が奥であるか左であるかを判別する（ステップ１６）。原稿の上辺の位置が左である場合には、レイアウトが図２（ａ）に示す、第１書き込み余白モードにおける縦長画像用第１レイアウトであると判別する（ステップ１７）。原稿の上辺の位置が奥である場合には、レイアウトが図２（ｂ）に示す、第１書き込み余白モードにおける横長画像用第２レイアウトであると判別する（ステップ１８）。
【００６３】
上記ステップ１１において、第２レイアウトモードが選択されていると判別された場合の処理について説明する。
【００６４】
原稿の向きを判別する（ステップ１９）。原稿の向きが”横通し”である場合には、原稿の上辺の位置が奥であるか左であるかを判別する（ステップ２０）。原稿の上辺の位置が奥である場合には、レイアウトが図２（ｃ）に示す、第１書き込み余白モードにおける縦長画像用第２レイアウトであると判別する（ステップ２１）。原稿の上辺の位置が左である場合には、レイアウトが図２（ｄ）に示す、第１書き込み余白モードにおける横長画像用第２レイアウトであると判別する（ステップ２２）。
【００６５】
上記ステップ１９において、原稿の向きが”縦通し”である場合には、原稿の上辺の位置が奥であるか左であるかを判別する（ステップ２３）。原稿の上辺の位置が左である場合には、レイアウトが図２（ｃ）に示す、第１書き込み余白モードにおける縦長画像用第２レイアウトであると判別する（ステップ２４）。原稿の上辺の位置が奥である場合には、レイアウトが図２（ｄ）に示す、第１書き込み余白モードにおける横長画像用第２レイアウトであると判別する（ステップ２５）。
【００６６】
図１５は、第２書き込み余白モードでのレイアウト種類の判別処理手順を示している。
【００６７】
ユーザによって選択されているレイアウトモードが第１〜第４レイアウトモードのうちのいずれかであるかを判別する（ステップ３１）。この判別は、図１２の第３のレイアウト選択画面上で選択されたレイアウトモード（レイアウト選択キー２５１〜２５４によって選択されたレイアウトモード）に基づいて行なわれる。
【００６８】
ステップ３１において、第１レイアウトモードが選択されていると判別された場合の処理について説明する。
【００６９】
原稿の向きを判別する（ステップ３２）。原稿の向きが”横通し”である場合には、原稿の上辺の位置が奥であるか左であるかを判別する（ステップ３３）。この判別は、図１２の第３のレイアウト選択画面上で選択された原稿の上辺の位置（キー２４２、２４３によって選択された原稿の上辺の位置）に基づいて行なわれる。原稿の上辺の位置が奥である場合には、レイアウトが図５（ａ）に示す、第２書き込み余白モードにおける縦長画像用第１レイアウトであると判別する（ステップ３４）。原稿の上辺の位置が左である場合には、レイアウトが図５（ｂ）に示す、第２書き込み余白モードにおける横長画像用第１レイアウトであると判別する（ステップ３５）。
【００７０】
上記ステップ３２において、原稿の向きが”縦通し”である場合には、原稿の上辺の位置が奥であるか左であるかを判別する（ステップ３６）。原稿の上辺の位置が左である場合には、レイアウトが図５（ａ）に示す、第２書き込み余白モードにおける縦長画像用第１レイアウトであると判別する（ステップ３７）。原稿の上辺の位置が奥である場合には、レイアウトが図５（ｂ）に示す、第２書き込み余白モードにおける横長画像用第１レイアウトであると判別する（ステップ３８）。
【００７１】
上記ステップ３１において、第２レイアウトモードが選択されていると判別された場合の処理について説明する。
【００７２】
原稿の向きを判別する（ステップ３９）。原稿の向きが”横通し”である場合には、原稿の上辺の位置が奥であるか左であるかを判別する（ステップ４０）。原稿の上辺の位置が奥である場合には、レイアウトが図５（ｃ）に示す、第２書き込み余白モードにおける縦長画像用第２レイアウトであると判別する（ステップ４１）。原稿の上辺の位置が左である場合には、レイアウトが図５（ｄ）に示す、第２書き込み余白モードにおける横長画像用第２レイアウトであると判別する（ステップ４２）。
【００７３】
上記ステップ３９において、原稿の向きが”縦通し”である場合には、原稿の上辺の位置が奥であるか左であるかを判別する（ステップ４３）。原稿の上辺の位置が左である場合には、レイアウトが図５（ｃ）に示す、第２書き込み余白モードにおける縦長画像用第２レイアウトであると判別する（ステップ４４）。原稿の上辺の位置が奥である場合には、レイアウトが図５（ｄ）に示す、第２書き込み余白モードにおける横長画像用第２レイアウトであると判別する（ステップ４５）。
【００７４】
上記ステップ３１において、第３レイアウトモードが選択されていると判別された場合の処理について説明する。
【００７５】
原稿の向きを判別する（ステップ４６）。原稿の向きが”横通し”である場合には、原稿の上辺の位置が奥であるか左であるかを判別する（ステップ４７）。原稿の上辺の位置が奥である場合には、レイアウトが図５（ｅ）に示す、第２書き込み余白モードにおける縦長画像用第３レイアウトであると判別する（ステップ４８）。原稿の上辺の位置が左である場合には、レイアウトが図５（ｆ）に示す、第２書き込み余白モードにおける横長画像用第３レイアウトであると判別する（ステップ４９）。
【００７６】
上記ステップ４６において、原稿の向きが”縦通し”である場合には、原稿の上辺の位置が奥であるか左であるかを判別する（ステップ５０）。原稿の上辺の位置が左である場合には、レイアウトが図５（ｅ）に示す、第２書き込み余白モードにおける縦長画像用第３レイアウトであると判別する（ステップ５１）。原稿の上辺の位置が奥である場合には、レイアウトが図５（ｆ）に示す、第２書き込み余白モードにおける横長画像用第３レイアウトであると判別する（ステップ５２）。
【００７７】
上記ステップ３１において、第４レイアウトモードが選択されていると判別された場合の処理について説明する。
【００７８】
原稿の向きを判別する（ステップ５３）。原稿の向きが”横通し”である場合には、原稿の上辺の位置が奥であるか左であるかを判別する（ステップ５４）。原稿の上辺の位置が奥である場合には、レイアウトが図５（ｇ）に示す、第２書き込み余白モードにおける縦長画像用第４レイアウトであると判別する（ステップ５５）。原稿の上辺の位置が左である場合には、レイアウトが図５（ｈ）に示す、第２書き込み余白モードにおける横長画像用第４レイアウトであると判別する（ステップ５６）。
【００７９】
上記ステップ５３において、原稿の向きが”縦通し”である場合には、原稿の上辺の位置が奥であるか左であるかを判別する（ステップ５７）。原稿の上辺の位置が左である場合には、レイアウトが図５（ｇ）に示す、第２書き込み余白モードにおける縦長画像用第４レイアウトであると判別する（ステップ５８）。原稿の上辺の位置が奥である場合には、レイアウトが図５（ｈ）に示す、第２書き込み余白モードにおける横長画像用第４レイアウトであると判別する（ステップ５９）。
【００８０】
〔５〕変形例の説明
複写機として、複数枚の原稿を縮小して、１枚の記録用紙に集約するといった集約コピー機能を備えているものがある。このような、集約コピーでは、記録用紙に印刷された複数枚の原稿画像の境界線（区切り線）を実線、点線等によって区切ることも可能となっている。
【００８１】
例えば、４枚の原稿画像を１枚の記録用紙に集約するような集約モード（４　ｉｎ１　集約モード）で、かつ区切り線を入れる場合に、原稿枚数が例えば６枚というように、４の倍数でない場合には、最終の記録用紙には、原稿画像のない白紙部が形成される。
【００８２】
例えば、記録用紙の４分割部分のうちの、左上、右上、左下、右下の順番で４枚の原稿画像が記録されていくような４　ｉｎ　１集約モードにおいて、原稿枚数が例えば６枚である場合には、図１６に示すように、最終の記録用紙の４分割部分のうち、左下部分および右下部分に白紙部が形成される。
【００８３】
区切り線を入れた場合には、従来においては、図１６に示すように、最終の記録用紙の白紙部内にも、区切り線が入ってしまう。この変形例（実施の形態）では、このような場合に、図１７に示すように、最終の記録用紙の白紙部内には、区切り線が入らなくなるようにする。なお、記録用紙の４分割部分に、どのような順番で原稿画像を印刷するかはユーザによって設定できるようになっている。
【００８４】
図１８は、４　ｉｎ　１集約モードにおいて、区切り線を入れる設定が行なわれた場合の、区切り線を入れる箇所の決定処理手順を示している。
【００８５】
まず、図１９に示すように、記録用紙の各４分割部分を、エリア１〜４と定義する。つまり、４分割部分のうちの左上部分をエリア１と定義し、４分割部分のうちの右上部分をエリア２と定義し、４分割部分のうちの右上部分をエリア３と定義し、４分割部分のうちの左下部分をエリア４と定義する。
【００８６】
エリア１とエリア４の両方の部分が白紙部となるか否か（この両部分に印刷すべき原稿が存在しないか否か）の判別（ステップ１０１）、エリア１とエリア２の両方の部分が白紙部となるか否かの判別（ステップ１０２）、エリア２とエリア３の両方の部分が白紙部となるか否かの判別（ステップ１０３）およびエリア３とエリア４の両方の部分が白紙部となるか否かの判別（ステップ１０４）を、順次行なっていく。
【００８７】
ステップ１０１の判別処理において、エリア１とエリア４の両方の部分が白紙部とならないと判別された場合には、エリア１とエリア４との境界に区切り線を入れると決定する（ステップ１０５）。ステップ１０２の判別処理において、エリア１とエリア２の両方の部分が白紙部とならないと判別された場合には、エリア１とエリア２との境界に区切り線を入れると決定する（ステップ１０６）。
【００８８】
ステップ１０３の判別処理において、エリア２とエリア３の両方の部分が白紙部とならないと判別された場合には、エリア２とエリア３との境界に区切り線を入れると決定する（ステップ１０７）。ステップ１０４の判別処理において、エリア３とエリア４の両方の部分が白紙部とならないと判別された場合には、エリア３とエリア４との境界に区切り線を入れると決定する（ステップ１０８）。
【００８９】
したがって、エリア１〜４のうち、全てが白紙部とならない場合には、隣り合うエリアの境界の全てに区切り線が入れられることになる。また、エリア１〜４のうち、１つのエリアのみが白紙部となる場合にも、隣り合うエリアの境界の全てに区切り線が入れられることになる。さらに、エリア１とエリア３の対角線　上の２つのエリアと、エリア２とエリア４の対角線上の２つのエリアとのうちの１組のみが白紙部となる場合にも、隣り合うエリアの境界の全てに区切り線が入れられることになる。
【００９０】
そして、左右方向または上下方向に隣合う２つのエリアにおいて、その２つのエリアが共に白紙部となる場合には、当該隣合うエリアの境界には、区切り線は入れられなくなる。
【００９１】
【発明の効果】
この発明によれば、用紙の半分に余白部を形成してコメントが書き込めるような複写モードを備えた画像形成装置を実現することができる。
【００９２】
また、この発明によれば、用紙の半分に余白部を形成できるとともにその余白部に罫線が印字されるような複写モードを備えた画像形成装置を実現することができる。
【００９３】
また、この発明によれば、予め設定された複数枚の原稿を１枚の用紙に集約して印刷しかつ用紙の原稿画像の境界に区切り線を入れるような集約モードにおいて、１枚の用紙に対して印刷されるべき原稿が予め設定された枚数より少ないときに、それに起因して用紙に発生する白紙部内に区切り線が入れられないようにすることが可能となる。
【図面の簡単な説明】
【図１】デジタル複写機の構成を示すブロック図である。
【図２】第１書き込み余白モードにおけるレイアウトの種類を示す模式図である。
【図３】図２の各レイアウトにおいて、横罫線が入れられた状態を示す模式図である。
【図４】図２の各レイアウトにおいて、縦罫線が入れられた状態を示す模式図である。
【図５】第２書き込み余白モードにおけるレイアウトの種類を示す模式図である。
【図６】図５の各レイアウトにおいて、横罫線が入れられた状態を示す模式図である。
【図７】図５の各レイアウトにおいて、縦罫線が入れられた状態を示す模式図である。
【図８】ユーザ操作部５０を示す平面図である。
【図９】機能リスト画面の一例を示す模式図である。
【図１０】第１のレイアウト選択画面の一例を示す模式図である。
【図１１】第２のレイアウト選択画面の一例を示す模式図である。
【図１２】第３のレイアウト選択画面の一例を示す模式図である。
【図１３】書き込み余白モードによる複写処理手順を示すフローチャートである。
【図１４】第１書き込み余白モードでのレイアウト種類の判別処理手順を示すフローチャートである。
【図１５】第２書き込み余白モードでのレイアウト種類の判別処理手順を示すフローチャートである。
【図１６】４　ｉｎ　１集約モードにおいて、区切り線を入れる設定が行なわれた場合の、従来の印刷結果を示す模式図である。
【図１７】４　ｉｎ　１集約モードにおいて、区切り線を入れる設定が行なわれた場合の、実施の形態（変形例）での印刷結果を示す模式図である。
【図１８】４　ｉｎ　１集約モードにおいて、区切り線を入れる設定が行なわれた場合の、区切り線を入れる箇所の決定処理手順を示すフローチャートである。
【図１９】記録用紙の各４分割部分を示す模式図である。
【符号の説明】
１０　スキャナ部
２０　制御部
３０　ハードディスク
４０　画像形成部
５０　ユーザ操作部
【図１】
2004096325.tif 000003
【図２】
2004096325.tif 000004
【図３】
2004096325.tif 000005
【図４】
2004096325.tif 000006
【図５】
2004096325.tif 000007
【図６】
2004096325.tif 000008
【図７】
2004096325.tif 000009
【図８】
2004096325.tif 000010
【図９】
2004096325.tif 000011
【図１０】
2004096325.tif 000012
【図１１】
2004096325.tif 000013
【図１２】
2004096325.tif 000014
【図１３】
2004096325.tif 000015
【図１４】
2004096325.tif 000016
【図１５】
2004096325.tif 000017
【図１６】
2004096325.tif 000018
【図１７】
2004096325.tif 000019
【図１８】
2004096325.tif 000020
【図１９】
2004096325.tif 000021